(57)【要約】【課題】使用者が、炊飯器本体から内釜を持ち上げたり、内釜を回転させたりしやすい炊飯器の提供。【解決手段】上記の課題を解決する為には、炊飯器において、本体と、この本体に収納される内釜と、本体の上面を開閉する蓋体を備え、本体は、上面を形成する上枠と前記内釜を収納する収納枠を有し、収納枠は、内釜を挿入する収納開口が形成され、上枠の収納開口の側方となる位置には、上方に開口する凹部が形成する。これにより、使用者が、炊飯器の本体に収納された内釜を持ち上げたり、回転させたりしやすい炊飯器を提供することができる。【選択図】図１
2018051136.tif 000002
【特許請求の範囲】
【請求項１】
本体と、該本体に収納される内釜と、前記本体の上面を開閉する蓋体を備え、
前記本体は、上面を形成する上枠と前記内釜を収納する収納枠を有し、
前記収納枠は、前記内釜を挿入する収納開口が形成され、
前記上枠の前記収納開口の側方となる位置には、上方に開口する凹部が形成されたことを特徴とする炊飯器。
【請求項２】
前記内釜は開口縁から外方向に延びるフランジを有し、
前記凹部と前記フランジは、上下に重なる位置関係であることを特徴とする炊飯器。
【請求項３】
前記凹部は、側方に向けて開口することを特徴とする請求項１から２に記載の炊飯器。
【請求項４】
前記蓋体には、下方向に向けて突出した凸部を有し、
前記蓋体が前記本体の上面に閉じられた状態において、前記凸部は、前記凹部に入り込むことを特徴とする請求項３に記載の炊飯器。
【請求項５】
前記凸部には、外面を覆うように軟質部材が設けられ、
前記軟質部材は、前記凸部が前記凹部に入り込んだ際に、前記凸部と前記凹部の隙間を埋めることを特徴とする請求項４に記載の炊飯器。
【請求項６】
前記凹部には、該凹部の開口を開閉する扉部が設けられたことを特徴とする請求項１から２に記載の炊飯器。
【請求項７】
前記上枠は金属で構成されたことを特徴とする請求項１から請求項６に記載の炊飯器。
【請求項８】
前記上枠は、上面が金属で覆われたことを特徴とする請求項１から請求項６に記載の炊飯器。
【発明の詳細な説明】
【技術分野】
【０００１】
本発明は、炊飯器に関する。
【背景技術】
【０００２】
従来から、鍋を着脱自在に支持する炊飯器本体に、上面開口部を形成する上枠を配設し、上面開口部を蓋体により開閉自在に覆うよう構成し、上枠の上面開口部に、鍋（釜）の外周フランジ部と対向する立ち上がり環状リングと蓋体を軸支する後方ヒンジ立ち上がり壁とを一体に配設し、上枠を板金で形成し、立ち上がり環状リングと鍋とを直接当接して鍋を支持するよう構成する炊飯器がある。
【先行技術文献】
【特許文献】
【０００３】
【特許文献１】特開２００５−８７５１１号公報
【発明の概要】
【発明が解決しようとする課題】
【０００４】
しかしながら、このような炊飯器は、内釜のフランジと炊飯器本体の上面に隙間が小さいので、使用者が内釜を炊飯器本体から取出す際に、内釜に指を掛けにくいという課題がある。
また、炊飯器本体の上面が金属なので、内釜の熱が上面を構成する上枠に伝わり易い。従って、使用者が内釜を持ち上げたり、回転させたりする際に、上枠に触れて火傷をしてしまう恐れがあるという課題がある。
【０００５】
本発明は上記の課題を解決する為のものであり、使用者が、炊飯器本体から内釜を持ち上げたり、回転させたりしやすい炊飯器を提供するものである。
【課題を解決するための手段】
【０００６】
上記の課題を解決する為には、炊飯器において、本体と、この本体に収納される内釜と、本体の上面を開閉する蓋体を備え、本体は、上面を形成する上枠と前記内釜を収納する収納枠を有し、収納枠は、内釜を挿入する収納開口が形成され、上枠の収納開口の側方となる位置には、上方に開口する凹部が形成することにより、上記課題を解決することができる。
【発明の効果】
【０００７】
本発明によれば、使用者が、炊飯器の本体に収納された内釜を持ち上げたり、回転させたりしやすい炊飯器を提供することができる。
【図面の簡単な説明】
【０００８】
【図１】実施の形態１を示す蓋体を開放した状態の炊飯器の斜視図
【図２】実施の形態１を示す炊飯器の側面図
【図３】図１のＡ−Ａ断面図
【図４】実施の形態１を示す蓋体を開放した状態の炊飯器の上面図（内釜無し）
【図５】実施の形態２を示す蓋体を開放した状態の炊飯器の斜視図
【図６】図５のＢ−Ｂ断面図
【図７】実施の形態２を示す蓋体を開放した状態の炊飯器の上面図（内釜無し）
【図８】実施の形態３を示す蓋体を開放した状態の炊飯器の斜視図
【図９】図８のＣ−Ｃ断面図（扉部が閉じた状態）
【図１０】図８のＣ−Ｃ断面図（扉部が開いた状態）
【図１１】実施の形態３を示す蓋体を開放した状態の炊飯器の上面図（内釜無し）
【発明を実施するための形態】
【０００９】
実施の形態１．
図１〜図４を参照して、実施の形態１を説明する。
炊飯器１００は、本体１０と、本体１０に取り付けられる蓋体２０と、本体１０の内部に収納される内釜３０を有する。本体１０は、本体ケース１１と、内釜３０を収納する収納枠１２と、上面を形成する上枠１３とから外殻を構成する。
【００１０】
本体ケース１１は、本体１０の前後左右の側面と底面を構成する部材である。収納枠１２は、内釜３０を挿入する収納開口１２ａが開口し、内釜３０の側面を覆う円筒部１２ｂと、内釜３０の底面を受ける底部１２ｃを有する。
上枠１３は、収納枠１２から本体ケース１１に至る部位を覆う部材であり、本体ケース１１の上面部１３ａを形成する。
【００１１】
この様に構成された本体ケース１１には、本体ケース１１の中心を含む位置に収納開口１２ａを上方に向けた状態で収納枠１２が位置し、収納枠１２と本体ケース１１の隙間となる位置に上枠１３が位置する。
ここで、上枠１３の収納開口１２ａの側方の部位、つまり、収納開口１２ａの左側及び右側に隣接する上枠１３の部位には、それぞれ凹部１３ｂが形成されている。
【００１２】
凹部１３ｂは、上方に向けて開口しており、また、左側の凹部は左側が開口し、右側の凹部は右側が開口している。凹部１３ｂは、収納枠１２に内釜３０が収納された状態において、内釜３０の開口縁３０ａからこの開口の外方向に延びるフランジ３１と上下に重なる位置関係となる。
そして、本体ケース１１の凹部１３ｂに隣接する部位は、凹部１３ｂの形状に合わせて凹形状に切り欠かれた形状に構成されており、凹部１３ｂが本体ケース１１を介して、左右方向に開口している。
【００１３】
以上のように構成された本体ケース１１と収納枠１２と上枠１３に囲まれた空間である本体１０の内部には、内釜３０を加熱する加熱手段１４、本体１０の内部に冷却風を流すための送風手段（図示せず）、加熱手段１４や送風手段等の電子部品を制御する制御手段（図示せず）が備えられる。
【００１４】
次に、蓋体２０は、本体１０の上部に開閉自在となるように、本体１０の後端にヒンジで取り付けられており、蓋体ケース２１と蓋体内枠２２を有する。
蓋体ケース２１は、蓋体２０の上面と左面と右面と後面を構成する外殻部材である。蓋体内枠２２は、蓋体２０の下面を構成する部材であり、蓋体ケース２１の内部に設けられる。
蓋体内枠２２の下面には、炊飯および保温中に発生する蒸気を排出する蒸気穴２３ａを有する内蓋２３が設けられる。
【００１５】
蓋体２０には、内蓋２３を加熱する内蓋加熱手段（図示せず）と、炊飯時および保温時に内釜３０の内部で生じる蒸気を炊飯器の外部に排出する蒸気排出路（図示せず）を有する。蒸気排出路と内蓋２３の間には、蒸気路パッキン（図示せず）が設けられ、蒸気穴２３ａに進入した蒸気が蒸気排出路の内部へ流入するよう構成されている。
また、内蓋２３の外周部には、内釜３０のフランジ３１ の上面と当接するパッキン２３ｂを有し、炊飯および保温中に発生する蒸気が蒸気口２３ａ以外から内釜３０の外部に流出するのを防止している。
【００１６】
ここで、蓋体２０には、凸部２７が設けられている。凸部２７は、蓋体２０の左側面及び右側面の下端に位置して、下方に向けて突出した部位である。この様な凸部２７は、蓋体ケース２１の一部分を凸状の突出した形状となるように、蓋体ケース２１に一体に設けられている。
【００１７】
また、凸部２７の形状は、本体ケース１１の凹部１３ｂの内側の形状と一致するように構成されている。つまり、蓋体２０が本体１０の上面に閉じられた際に、凹部１３ｂの内部に凸部２７が入り込む。更に、凸部２７には、凸部２７の外周を覆うように、シリコンゴムなどの軟質部材２７ａが設けられている。
尚、本実施の形態では、凸部２７は蓋体ケース２１の一部を成す部材であるが、蓋体内枠２２の一部分を凸状にすることで構成しても良い。
【００１８】
以上のように、上枠１３の収納開口１２ａの左側及び右側の部位に、それぞれ凹部１３ｂが形成されているので、本体１０に内釜３０が設けられている状態において、内釜３０のフランジ３１の下側に十分な空間を形成することができる。
これにより、使用者が本体１０から内釜３０を取り外す時、凹部１３ｂに手を入れることで内釜３０のフランジ３１の下に手を入れやすく、フランジ３１を手で掴みやすい。つまり、容易に内釜３０を本体１０から外すことができる。特に、凹部１３ｂは、蓋体２０が開いた状態において、左側及び右側に開口するので、本体１０の側面からも手をフランジ３１の下に入れやすい。
【００１９】
また、蓋体２０の凸部２７の形状は、本体ケース１１の凹部１３ｂの内側の形状と一致するように構成されている。つまり、蓋体２０が本体１０の上面に閉じられた際に、凹部１３ｂの内部に凸部２７が入り込み、凹部１３ｂにおいて、側方を向く開口を凸部２７により閉じることができる。
これにより、米飯の炊飯時や保温時の際に、凹部１３ｂの位置から熱が炊飯器１００の外部に逃げることを防止することができる。特に、凸部２７には、凸部２７の外面を覆うように、シリコンゴムなどの軟質部材２７ａを設けることで、凸部２７が凹部１３ｂに入り込んだ状態において、凸部２７と凹部１３ｂの隙間を少なくして、より保温効果を向上させることができる。
【００２０】
また、本実施の形態では、上枠１３は合成樹脂により形成されているものであるが、上枠１３をステンレス等の金属の板金で構成しても良い。また、上枠１３の上面をステンレス等の金属で覆っても良い。
この様に構成することで、本体１０の上面部１３ａの意匠性や清掃性を向上させることができると共に、金属製の上面部１３ａが高温となっても、凹部１３ｂが形成されていることで、上面部１３ａの表面に触れることを防止しつつ、容易に内釜３０を本体１０から外すことができる。
本実施の形態においては、収納枠１２と上枠１３が、別々の部品として記載されているが、一体の部品で構成しても良い。
【００２１】
実施の形態２．
図５〜図７を参照して実施の形態２に係る炊飯器１００を説明する。尚、実施の形態１と同じ構成については同じ符号を付し、説明を省略する。
炊飯器１００の本体１０には、上枠１３の上面部１３ａであって収納開口１２ａの左側及び右側の部位は、それぞれ凹部１３ｃが形成されている。凹部１３ｃは、上方に向けてのみ開口している。
また、凹部１３ｃは、収納枠１２に内釜３０が収納された状態において、内釜３０の開口縁３０ａから外方向に延びるフランジ３１と上下に重なる位置関係となる。
【００２２】
以上のように、上枠１３の収納開口１２ａの左側及び右側の部位に、それぞれ凹部１３ｃが形成されているので、本体１０に内釜３０が設けられている状態において、内釜３０のフランジ３１の下側に十分な空間を形成することができる。
これにより、使用者が本体１０から内釜３０を取り外す時、凹部１３ｃに手を入れることで内釜３０のフランジ３１の下に手を入れやすく、フランジ３１を手で掴みやすい。つまり、容易に内釜３０を本体１０から外すことができる。
【００２３】
特に、凹部１３ｃは、上方に向けてのみ開口しているので、本体１０の上面部１３ａを蓋体２０で閉じると、凹部１３ｃが炊飯器１００の外部に露出しない。これにより、米飯を炊飯及び保温している際に、凹部１３ｃから熱が逃げるのを防止することができる。
尚、本実施の形態では、収納開口１２ａの左側及び右側の部位に、それぞれ凹部１３ｃが形成された形態で説明したが、一対の凹部１３ｃが収納開口１２ａを挟んで向かい合う位置関係となればよい。例えば、一方の凹部１３ｃが、上面部１３ａの前側の右端の領域に位置し、他方の凹部１３ｃが後側の左端の領域に位置するように形成しても良い。
【００２４】
実施の形態３．
図８〜図１１を参照して実施の形態２に係る炊飯器１００を説明する。尚、実施の形態２と同じ構成については同じ符号を付し、説明を省略する。
本体１０の上面部１３ａに設けられた凹部１３ｃの開口１３ｄには、この開口を塞ぐように扉部３４が設けられている。
【００２５】
扉部３４は、開口１３ｄの縁にヒンジにより取り付けられており、開口１３ｄを開閉する。扉部３４の取り付け状態は、本体１０の側方側の端がヒンジにより開口１３ｄの縁に取り付けられている。つまり、扉部３４は、内釜３０が位置する側の端が、下方向に下がるように、開口１３ｄに取り付けられている。
また、扉部３４は、開いた状態から閉じた状態に戻るように、ねじりバネ等により、開口１３ｄを閉じる方向に付勢されている。扉部３４が閉じられた状態では、扉部３４の面と上面部１３ａが同一面となる。
【００２６】
以上のように炊飯器１００は構成されているので、使用者が内釜３０を本体１０から取出す時、手で扉部３４を押圧することで、扉部３４が凹部１３ｃの内部に開き、内釜３０のフランジ３１の下側に、指を入れるための十分な空間が形成される。これにより、使用者は容易に内釜３０のフランジ３１を掴みやすくすることができる。
また、凹部１３ｃは、通常は扉部３４で閉じられた状態となるので、凹部１３ｃの内部にゴミなどが入り難い構成となる。更に、凹部１３ｃは、米飯を炊飯及び保温する時は、扉部３４で閉じられた状態となるので、凹部１３ｃから熱が逃げるのを防げる。
【符号の説明】
【００２７】
１００  炊飯器、１０  本体、１１  本体ケース、
１２  収納枠、１２ａ  収納開口、１２ｂ  円筒部、１２ｃ  底部
１３  上枠、１３ａ  上面部、１３ｂ  凹部
１４  加熱手段、
２０  蓋体、２１  蓋体ケース、２２  蓋体内枠
２３  内蓋、２３ａ  蒸気穴、２３ｂ  パッキン
２５  蒸気排出路
２７  凸部、２７ａ  軟質部材
３０  内釜、３１  フランジ
１３  上枠、１３ａ  上面部、１３ｃ  凹部、１３ｄ  開口
３４  扉部
【図１】
2018051136.tif 000003
【図２】
2018051136.tif 000004
【図３】
2018051136.tif 000005
【図４】
2018051136.tif 000006
【図５】
2018051136.tif 000007
【図６】
2018051136.tif 000008
【図７】
2018051136.tif 000009
【図８】
2018051136.tif 000010
【図９】
2018051136.tif 000011
【図１０】
2018051136.tif 000012
【図１１】
2018051136.tif 000013